【手続補正書】
【提出日】平成16年12月22日(2004.12.22)
【手続補正１】
【補正対象書類名】明細書
【補正対象項目名】請求項１８
【補正方法】変更
【補正の内容】
【請求項１８】
配向実現のために照射される紫外線が基板に対して斜め方向から照射されることを特徴とする請求項１７に記載の液晶表示装置。
【手続補正２】
【補正対象書類名】明細書
【補正対象項目名】請求項２８
【補正方法】変更
【補正の内容】
【請求項２８】
紫外線照射用のランプを１つ具備した装置を用い、１回目の紫外線照射の後、基板あるいは基板とマスクの両方を１８０度回転させて、紫外線が１回目に照射されなかった領域に２回目の紫外線照射を行うことを特徴とする請求項２６に記載の液晶表示装置。
【手続補正３】
【補正対象書類名】明細書
【補正対象項目名】請求項３９
【補正方法】変更
【補正の内容】
【請求項３９】
一方の基板の配向膜の１画素の複数の領域への紫外線の照射量が異なっており、他方の基板の配向膜の１画素の複数の領域への紫外線の照射量が異なっており、一方の基板の配向膜の１つの領域への紫外線の照射量と他方の基板の配向膜の１つの領域への紫外線の照射量との和の組合せが互いに異なっていることを特徴とする請求項３７に記載の液晶表示装置。
【手続補正４】
【補正対象書類名】明細書
【補正対象項目名】００２７
【補正方法】変更
【補正の内容】
【００２７】
さらに、本発明は、間隔をあけて対向する一対の基板と、一方の基板に形成される電極及び配向膜と、他方の基板に形成される電極及び配向膜と、該一対の基板の間に挟持される液晶とを備え、該配向膜は紫外線の照射によってプレチルトをともなった配向処理が行われ且つ１画素がしきい値電圧の異なる少なくとも２つの領域をもつように形成されていることを特徴とする液晶表示装置を提供する。この構成によれば、紫外線の照射という比較的に簡単な手段により、ラビングを用いることなく（従って、ラビングによって配向膜の表面に溝状のこすり跡が形成されることなく）液晶の配向を実現できるとともに、１画素にしきい値電圧の異なる複数の領域を形成することが可能になり、製造コストの増加なしに液晶表示装置の視角特性を改善することが可能になる。
【手続補正５】
【補正対象書類名】明細書
【補正対象項目名】００３４
【補正方法】変更
【補正の内容】
【００３４】
さらに、画素電極１８の下方には、画素電極１８のほぼ中心を通って蓄積容量電極４０が設けられる。２７は絶縁層である。バスライン３０、３２、蓄積容量電極４０、及び画素電極１８は、これらの間に配置された絶縁層（図示せず）により電気的に分離されている。
【手続補正６】
【補正対象書類名】明細書
【補正対象項目名】００６３
【補正方法】変更
【補正の内容】
【００６３】
図１６は本発明の第２の実施例を示す図である。図２の例と同様に、液晶表示装置１０は、間隔をあけて対向する一対の透明なガラス基板１２、１４と、これらの基板１２、１４の間に挟持される液晶層１６とからなる。一方の基板１２には透明な画素電極１８及び透明な配向膜２０が形成され、他方の基板１４には透明な共通電極２２及び透明な配向膜２４が形成されている。上基板１４にはさらにカラーフィルター２６及びブラックマトリクス２８が形成されている。カラーフィルター２６はＲ、Ｇ、Ｂのカラー要素を含む。また、蓄積容量電極４０が設けられる。この配向膜はラビングなしでプレチルト角度を伴った配向が実現されている。
【手続補正７】
【補正対象書類名】明細書
【補正対象項目名】００９５
【補正方法】変更
【補正の内容】
【００９５】
図３４において、マスク８０は合成石英の板８０Ａにクロム８０Ｂを蒸着してなるものであり、クロム８０Ｂの部分が遮光部となり、クロム８０Ｂとクロム８０Ｂとの間の部分が開口部となる。クロム８０ＢはＸ軸方向に延びる。マスク８０のクロム８０Ｂの幅及び開口部の幅は領域７８Ａ、７８Ｂの幅と一致する。従って、図３２の紫外線照射においては、このマスク８０を使用し、領域７８Ａの上にマスク８０の開口部をおいて紫外線６８Ａを照射し、それからマスク８０を１ピッチ分横にずらして、領域７８Ｂの上にマスク８０の開口部をおいて紫外線６８Ｂを照射する。
【手続補正８】
【補正対象書類名】明細書
【補正対象項目名】００９８
【補正方法】変更
【補正の内容】
【００９８】
図３５はマスク８０のＹ軸方向に沿って紫外線６８を照射する場合を示している。この場合、紫外線６８はマスク８０のクロム（遮光部）８０Ｂと直交する方向に進み、マスク８０と配向膜２０（２４）の間隔がｄ′だけずれると、配向膜２０（２４）での露光位置が横にｄ″だけずれることになる。これに対して、図３２及び図３４に示されるようにマスク８０のＸ軸方向に沿って紫外線６８を照射する場合には、マスク８０と配向膜２０（２４）の間隔がｄ′だけずれていても、配向膜２０（２４）での露光位置は横にずれない。
【手続補正９】
【補正対象書類名】明細書
【補正対象項目名】０１０５
【補正方法】変更
【補正の内容】
【０１０５】
図４１は配向膜２０、２４の領域７８Ａ、７８Ｂのストライプの方向が互いに平行となるように一対の基板１２、１４を張り合わせた場合を示す。このときには、液晶の傾きの方向が上下の基板の対向する部分で互いに同一方向になっている。上基板の領域７８Ａが下基板の領域７８Ｂと対向するように張り合わせることで、液晶の傾きの方向が上下の基板の対向する部分で互いに逆方向になる。後者の場合、電圧を印加した場合に液晶がその領域内で均一に一方向（＋Ｘ方向）に傾く。ストライプの他の領域では液晶はやはり一方向に傾くがその方位方向は−Ｘ方位方向である。このように配向を２種類に分けることができる。
【手続補正１０】
【補正対象書類名】明細書
【補正対象項目名】０１０８
【補正方法】変更
【補正の内容】
【０１０８】
紫外線照射の中心波長は２５０ｎｍ付近が好ましい。このように紫外線を用いて配向処理した場合には、配向膜表面を擦るラビング法とは異なり、配向膜の表面に筋状の溝などが形成されることがないという特徴がある。ここで、マスク８０を用いて異なった配向を実現させ、配向の異なった複数の領域を各画素の中に設ける。ここで、この配向の異なった領域の数としては、その領域の配向の種類が２種類あるいは４種類であったとしても、複数であればどのような数であってもよいことは言うまでもない。例えば各領域のピッチを画素のピッチに比べて十分に小さくすれば、位置合わせずれを気にする必要もない。
【手続補正１１】
【補正対象書類名】明細書
【補正対象項目名】０１１４
【補正方法】変更
【補正の内容】
【０１１４】
実施例においては、ＴＦＴ型液晶パネルを適用した。ＲＧＢの３つの画素が１つの表示単位を構成する。画素のピッチはＲＧＢのセットにおいて３００μｍ、ＲＧＢ各画素のサイズは１００μｍ×３００μｍであった。まず、各基板１２、１４に対向配向膜として垂直配向型のポリイミドを塗布した。これにマスク８０を通してほぼ方向の揃った紫外線をまずＴＦＴ基板１２に照射した。ここでストライプ状のマスク８０を使用したが、マスク８０のストライプの幅は１００μｍ×√２÷３≒４７．１４μｍとした。このストライプが画素の方向に対して４５度の方向となるように注意してマスクを設計し、紫外線を斜め４５度傾き角から、ストライプに平行な方位方向から照射した。
【手続補正１２】
【補正対象書類名】明細書
【補正対象項目名】０１３４
【補正方法】変更
【補正の内容】
【０１３４】
好ましくは、図５１に示すように、且つ上記したように、１画素内の２つの領域７８Ａ、７８Ｂの各々においては、一方の配向膜のある領域への紫外線の照射量は他方の配向膜の対応する領域への紫外線の照射量と実質的に同じであり、従って、領域７８Ａにおいては、配向膜２０、２４に隣接する液晶分子のプレチルト角度はともにγであり、領域７８Ｂにおいては配向膜２０２４に隣接する液晶分子のプレチルト角度はともにδであるようにする。
【手続補正１３】
【補正対象書類名】明細書
【補正対象項目名】０１５０
【補正方法】変更
【補正の内容】
【０１５０】
水平方向にのみ延びる蓄積容量電極４０を有する従来の液晶表示装置の場合には、十字状に光る部分のうちの水平部分はそのような蓄積容量電極４０で隠れるために問題ないが、十字状に光る部分のうちの垂直部分は従来の液晶表示装置では問題であった。
本発明においては、蓄積容量電極（補助容量電極）４０が十字状に延びる境界線を覆う遮光膜として形成されているので、そのような極端に光る部分をなくすことができた。図６３は十字状に延びる蓄積容量電極４０のある場合の４分割垂直配向型液晶表示装置の電圧印加時間と透過率との関係を示す図である。図６２のように透過率が極端に上がるのが解消されているのが分かる。補助容量電極４０を垂直方向に延ばす場合には、蓄積容量電極４０の水平に延びる部分を細くしてその分を垂直方向に設けるものである。これにより開口率を損なうことなく、極端な輝度のある部分を解消することができる。ただし、補助容量電極の抵抗を考慮する必要がある。
【手続補正１４】
【補正対象書類名】明細書
【補正対象項目名】０１５７
【補正方法】変更
【補正の内容】
【０１５７】
これに対して、スペーサ１１０の表面に垂直配向処理が施されていると、スペーサ１１０のまわりの液晶分子がそのような水平配向規制力を受けず、且つ垂直配向規制力は比較的に弱いので、所望の垂直方向に配向することができ、明るい表示を得ることができる。この特徴は、垂直配向膜２０、２４に紫外線を照射することによりプレチルトを伴った垂直配向を実現した液晶表示装置１０の全ての実施例に適用することができる。
【手続補正１５】
【補正対象書類名】明細書
【補正対象項目名】図４８
【補正方法】変更
【補正の内容】
【図４８】
図４７に従って配向処理された配向膜を使用する場合に達成される液晶の配向を示す図である。
【手続補正１６】
【補正対象書類名】明細書
【補正対象項目名】図５０
【補正方法】変更
【補正の内容】
【図５０】
図４９に従って配向処理された配向膜を使用する場合に達成される液晶の配向を示す図である。